(57)【要約】【課題】  断面形状及び／又は大きさ等、種類の異なる複数の線材の容易な取り付けを可能とする線材結束具を提供すること。【解決手段】  線材結束具１であって、シャーシやパネル等の板材に取り付けるための係止部２を当該線材結束具１の固定部として備え、さらに当該線材結束具１の結束部には、結束保持すべき線材の断面形状及び／又は大きさに対応した空間からなる複数の結束保持部３Ａ、３Ｂ、３Ｃを当該線材結束具１と一体に形成し、さらに前記複数の結束保持部の先端には、各々の結束保持部３Ａ、３Ｂ、３Ｃに対応する抜け止め部４Ａ、４Ｂ、４Ｃを上下に対向して形成した線材結束具１を提供する。【選択図】  図１
0003110441.tif 000002
【実用新案登録請求の範囲】
【請求項１】
線材を結束する結束部と被取付け部材に固定する固定部とを備えた線材結束具において、前記結束部は複数種の異なる断面形状及び／又は大きさの線材を保持する保持部を複数形成し、前記保持部には各々の線材を挿通するための開放部と、挿通した線材を収納する収納部と、挿通した線材を収納部に止める抜け止め部とを一体に形成したことを特徴とする線材結束具。
【請求項２】
前記保持部は、厚みの薄い概略平坦状の線材を保持する平坦状線材保持部と断面略円筒状の小径線材を保持する小径線材保持部とを被取付け部材への取付け方向に併設して一体に形成すると共に、断面略円筒状の大径線材を保持する大径線材保持部を前記平坦状線材保持部及び前記小径線材保持部の側端部に配置して一体に形成したことを特徴とする請求項１に記載の線材結束具。
【請求項３】
前記開放部は前記収納部の一辺を収納する線材の断面形状及び／又は大きさに応じて挿通可能に切欠いたことを特徴とする請求項１、又は請求項２に記載の線材結束具。
【請求項４】
前記抜け止め部は前記収納部に形成する前記開放部の上下又は左右に位置する収納部の端部より垂直又は水平に延出して形成したことを特徴とする請求項１、請求項２、又は請求項３に記載の線材結束具。
【請求項５】
平坦状線材保持部及び小径線材保持部と大径線材保持部とを連結する連結部を一体に形成し、前記連結部には前記被取付け部材に固定する固定部を形成したことを特徴とする請求項２、請求項３、又は請求項４に記載の線材結束具。
【請求項６】
電子機器の内部に配備した線材を適所に結束保持する為に用いたことを特徴とする請求項１、請求項２、請求項３、請求項４、又は請求項５に記載の線材結束具を備えた電子機器。
【考案の詳細な説明】
【技術分野】
【０００１】
本考案は被取付け部材に取付けて線材を結束するための線材結束具に関し、特に断面形状及び／又は大きさの異なる複数種の線材の結束を考慮した線材結束具に関する。
【背景技術】
【０００２】
電子機器等の筐体内部には、大径の線材、小径の線材、フラットケーブル等の異なる断面形状及び／又は大きさを有する複数の線材が配設されており、これらの線材を限られた筐体内部のスペースに確実に固定するために、従来からさまざまな部材が提供されている。線材の種類に応じて、大径の線材用、小径の線材用、フラットケーブル用等、それぞれ専用の異なる線材結束具を用意し、それらを筐体の所定の場所に配置して線材を結束することにより、異なる複数の線材を固定する方法が一般に採用されてきたが、これでは結束用部材の種類をいたずらに増やすばかりで、工場における部品管理の手間もかかり、製品の製造原価にも好ましくない影響を及ぼすことになる。
【０００３】
上述の問題点を解決するために、従来より、異なる断面形状及び／又は大きさを有する複数の線材をシャーシやパネル等の板材に一括して結束するための線材結束具が広く用いられている。たとえば、シャーシやパネル等の板材に当該線材結束具を取り付けるための脚部と当該脚部と一体となって上方に延設する一対の腕部とを有する本体部材と、当該一対の腕部間に差し渡されて当該一対の腕部に形成された鋸歯状凹凸部と係合するように形成された係合片を有する横板部材とを備え、かつ当該横板部材を押し下げること、もしくは押し上げることで、当該横板部材の弾性変形を利用して当該本体部材と当該横板部材との距離を変化させて線材保持部のスペースを変化させることにより、結束される複数の線材の断面形状及び／又は大きさが変化しても、一括して結束することのできる線材結束具が使用されている。
【０００４】
しかし、こうした線材結束具にあっては、結束を解除する際の操作、特に、前記横板部材が前記本体部材に対して比較的下方に位置していた場合には、手作業等により当該横板部材を本体部材に対して上方に大きく移動させて引き抜かなければ、線材の結束を解除できないという操作上の煩わしさがあった。
【０００５】
この問題点を克服するために特許文献１では、シャーシやパネル等の板材に当該線材結束具を取り付けるための脚部と当該脚部と一体となって上方に延設する一対の腕部とを有する本体部材と、当該一対の腕部間に差し渡されて当該一対の腕部に形成された鋸歯状凹凸部と係合するように形成された係合片を有する横板部材とを備え、当該本体部材と当該横板部材の係合位置を選択して線材保持部のスペースを変化させることができ、かつ当該横板部材を前記本体部材に対して上下方向を回転軸として回転させることにより、容易に線材の結束を解除することができ、しかも結束される複数の線材の断面形状及び／又は大きさが変化しても、一括して結束することのできる線材結束具が提供されている。
【０００６】
【特許文献１】特開２００２−４８１１０
【考案の開示】
【考案が解決しようとする課題】
【０００７】
しかし、特許文献１に開示された部材によっては、線材結束具が本体部材と横板部材との二つの部品から構成されており、工場における部品管理の手間もかかり、製品の製造原価にも好ましくない影響を及ぼすことになる。さらに、線材を当該線材結束具に結束する場合は、線材を線材保持部に収めるために手作業で横板部材を本体部材に係合させる工程が必要であり、逆に、当該線材結束具から線材の結束を解除する場合は、線材を線材保持部から引き抜くために手作業で横板部材と本体部材との係合を解除する工程が必要であり、いずれの場合も操作上の煩わしさが残る。さらに、特許文献１による線材結束具は形状が複雑であることから、当該線材結束具製造用の金型コストが増嵩するという欠点がある。
【課題を解決するための手段】
【０００８】
本考案は、上記の課題を解決するために、線材を結束する結束部と被取付け部材に固定する固定部とを備えた線材結束具において、前記結束部は複数種の異なる断面形状及び／又は大きさの線材を保持する保持部を複数形成し、前記保持部には各々の線材を挿通するための開放部と、挿通した線材を収納する収納部と、挿通した線材を収納部に止める抜け止め部とを一体に形成した線材結束具を提供する。また本考案は、上述の線材結束具の保持部を、厚みの薄い概略平坦状の線材を保持する平坦状線材保持部と断面略円筒状の小径線材を保持する小径線材保持部とを被取付け部材への取付け方向に併設して一体に形成すると共に、断面略円筒状の大径線材を保持する大径線材保持部を前記平坦状線材保持部及び前記小径線材保持部の側端部に配置して一体に形成した線材結束具を提供し、さらに前記開放部を前記収納部の一辺を収納する線材の断面形状及び／又は大きさに応じて挿通可能に切欠いた線材結束具を提供し、さらに前記抜け止め部を前記収納部に形成する前記開放部の上下又は左右に位置する収納部の端部より垂直又は水平に延出して形成した線材結束具を提供する。また本発明は、上記の平坦状線材保持部及び小径線材保持部と大径線材保持部とを設けた線材結束具において、当該平坦状線材保持部及び当該小径線材保持部と当該大径線材保持部とを連結する連結部を一体に形成し、前記連結部には前記被取付け部材に固定する固定部を形成した線材結束具を提供する。さらに本発明は、電子機器の内部に配備した線材を適所に結束保持する為に上述の線材結束具を備えた電子機器を提供するものである。
【考案の効果】
【０００９】
本考案により、大径の線材、小径の線材、フラットケーブル等の異なる断面形状及び／又は大きさを有する複数の線材を一つの線材結束具に取り付けて結束することができ、かつ、複数の異なる形状の線材を収容する線材保持部が当該線材結束具に一体形成されているため、線材を当該線材結束具に結束する場合も、また当該線材結束具から線材の結束を解除する場合も、いずれの場合においても、線材結束具を構成する二つの部分の結合、分離という従来技術に伴う操作上の煩わしさを一切排除することができる。さらに本考案においては、形状を簡略化した線材結束具が開示されているので、奥行き方向での二面金型による一体成形が可能となり、当該線材結束具製造用の金型コストの低減が実現できる。
【考案を実施するための最良の形態】
【００１０】
図１乃至図２により、本考案による具体的な線材結束具の構成を説明する。図１は本考案による具体的な実施例である線材結束具の形状を示す斜視図である。図１に示すように、本実施例の線材結束具１は、シャーシやパネル等の板材に取り付けるための係止部２を当該線材結束具１の固定部として備え、さらに当該線材結束具１の結束部には、結束保持すべき線材の断面形状及び／又は大きさに対応して、フラットケーブル結束保持部３Ａと小径線材結束保持部３Ｂとが当該線材結束具１の一方の側に、大径線材結束保持部３Ｃが当該線材結束具１の他方の側に、各々当該線材結束具１に一体となって形成されており、さらに各々の前記複数の結束保持部の先端には、各々の結束保持部３Ａ、３Ｂ、３Ｃに対応する抜け止め部４Ａ、４Ｂ、４Ｃが上下に対向して形成されている。
【００１１】
本実施例においては、図１乃至図２に示すように、前記係止部２は前記線材結束具１に一体に形成されたフックからなっている。ただし、当該フックに関する形状及び形成される位置については、これに限定されるものではない。また、図１に示した各結束保持部３の配置も、当然のことながら、これに限定されるわけではなく、実際に使用される線材の種類及び配線の実態に応じて、線材結束具１の適宜の箇所に配置することができる。また、図１において、当該線材結束具１の矢印で示した奥行き方向の長さについては、特にこれに限定されるものではなく、取り付け箇所の用途に応じて適宜選択することができる。図２は、上述の図１に示した本実施例による線材結束具の形状を示す正面図である。
【００１２】
以下、上記のように構成された線材結束具１の使用方法の一例について、図１乃至図２を参照しつつ説明する。先ず、線材結束具１をシャーシやパネル等の板材（図示せず）に固定する。具体的には、当該板材（図示せず）の所定の場所に予め形成されている係止孔（図示せず）に当該線材結束具１の係止部２を挿入して嵌着し、当該線材結束具１を板材に固定する。次に、結束保持すべき線材（図示せず）を、その断面形状及び／又は大きさに応じて、当該線材結束具１に設けられた空所からなる結束保持部３に収納する。具体的には、フラットケーブルをフラットケーブル結束保持部３Ａに、小径線材を小径線材結束保持部３Ｂに、そして大径線材を大径線材結束保持部３Ｃに、各々挿通させて収納する。
【００１３】
前記のフラットケーブル結束保持部３Ａ、小径線材結束保持部３Ｂ、大径線材結束保持部３Ｃの先端には、各々、狭窄部からなる抜け止め部４Ａ、４Ｂ、４Ｃが形成されており、これにより上記のようにして収納した断面形状や大きさの異なる複数の線材が空所からなる前記の結束保持部３から抜け落ちることを防止している。
【００１４】
以上の説明により明らかなとおり、本考案による線材結束具１によれば、断面形状及び／又は大きさが異なる複数の線材を容易に取り付けることができ、かつ、取り付けた後の当該線材が抜け落ちることを防止することができる。さらに、本考案による線材結束具１は形状が極めて簡略化されていることから、合成樹脂製の線材結束具１であれば、二面金型による射出成形が可能であり、当該線材結束具１製造用の金型コストの低減が実現できる。
【００１５】
さらに、本実施例による上述の線材結束具１の場合、フラットケーブル、小径線材、大径線材という三種類の線材を一つの線材結束具１のみで一度に結束することが可能である。しかし、製品によっては、結束を要する線材が二種類もしくは一種類である場合もあるが、その場合においても、本実施例による線材結束具１を使用して当該二種類もしくは一種類の線材を結束することができる。したがって、複数の異なる線材の一括結束を可能とする本実施例の線材結束具１を使用することにより、フラットケーブル専用の線材結束具や大径線材専用の線材結束具を使用する必要がなくなるので、線材結束具１の種類を削減することができ、工場における部品管理の手間が軽減されることになる。
【００１６】
また本実施例では、三種類の線材を一度に結束することのできる線材結束具１について説明したが、製造される電子機器の筐体内でのスペースが許す限り、当該線材結束具１自体の結束部の寸法を大きく取ることにより、結束支持される線材の種類を三種類に限定することなく、さらに増やすことも可能である。
【図面の簡単な説明】
【００１７】
【図１】本考案による具体的な実施例である線材結束具の形状を示す斜視図
【図２】本考案による具体的な実施例である線材結束具の形状を示す正面図
【符号の説明】
【００１８】
１  線材結束具
２  係止部
３  結束保持部
４  抜け止め部
【図１】
0003110441.tif 000003
【図２】
0003110441.tif 000004